(57)【要約】【課題】防水パンに対する壁パネル等の被取付物の取付作業を、防水パンに穴を明けることなく、内側からの作業のみで、容易かつ迅速に行えるようにする。【解決手段】取付具３は、基板部４と、この基板部４から横方向に突出する上側および下側横方向突出部５，６と、上側横方向突出部５に設けられたねじ穴１０と、このねじ穴１０に螺合される雄ねじ１１とを有するようにする。防水パン１の横方向張り出し部２ｂおよび上縁立ち上がり部２ｃを上側横方向突出部５と下側横方向突出部６との間に挿入し、ねじ穴１０に螺合された雄ねじ１１を締め付け、雄ねじ１１の軸部１１ａの先端と下側横方向突出部６との間に横方向張り出し部２ｂが挟まれ、雄ねじ１１の軸部１１ａの外周と基板部４との間に上縁立ち上がり部２ｃが挟まれるようにする。そして被取付物を取付具３に取り付ける。【選択図】図７
2014152503.tif 000002
【特許請求の範囲】
【請求項１】
ユニットルームの一部を構成する防水パンに被取付物を取り付けるユニットルームの防水パンに対する被取付物の取付具であって、前記防水パンは、外周に周壁部を有し、この周壁部は該周壁部の主たる部分をなす上方に立ち上がる周壁部主部と、この周壁部主部の上端部またはその付近から外側横方向に張り出す横方向張り出し部と、この横方向張り出し部の先端部またはその付近から上方に立ち上がる上縁立ち上がり部とを有している取付具において、
基板部と、
この基板部から横方向に突出する上側横方向突出部と、
前記上側横方向突出部の下方において、前記基板部から前記上側横方向突出部と大略同方向に突出する下側横方向突出部と、
前記上側横方向突出部に設けられたねじ穴と、
軸部の先端側を前記下側横方向突出部に向けて、前記ねじ穴に螺合される雄ねじとを有してなり、
前記上側横方向突出部と前記下側横方向突出部との間に前記防水パンの前記横方向張り出し部および前記上縁立ち上がり部が挿入され、前記雄ねじの軸部の先端と前記下側横方向突出部との間に前記防水パンの前記横方向張り出し部が挟まれ、前記雄ねじの軸部の外周と前記基板部との間に前記防水パンの前記上縁立ち上がり部が挟まれるようにすることにより、前記防水パンに取り付けられるようになっており、
前記被取付物を取り付けられることにより前記被取付物を前記防水パンに取り付ける取付具。
【請求項２】
前記下側横方向突出部の先端部から下方に延び、前記防水パンの前記周壁部主部に当接される周壁部主部当接部をさらに有している請求項１記載の取付具。
【請求項３】
前記基板部、前記上側横方向突出部、前記下側横方向突出部および周壁部主部当接部は、１枚の金属板から一体的に加工されている請求項１または２記載の取付具。
【請求項４】
前記基板部、前記上側横方向突出部および前記下側横方向突出部の組み合わせを２組有しており、各組の前記基板部、前記上側横方向突出部および前記下側横方向突出部は互いに直角をなす方向に設けられている請求項１乃至３のいずれか１項に記載の取付具。
【請求項５】
ユニットルームの一部を構成する防水パンと、取付具と、この取付具を介して前記防水パンに取り付けられた被取付物とを有してなるユニットルームの防水パンに対する被取付物の取付構造において、
前記防水パンは、外周に周壁部を有し、この周壁部は該周壁部の主たる部分をなす上方に立ち上がる周壁部主部と、この周壁部主部の上端部またはその付近から外側横方向に張り出す横方向張り出し部と、この横方向張り出し部の先端部またはその付近から上方に立ち上がる上縁立ち上がり部とを有し、
前記取付具は、基板部と、この基板部から横方向に突出する上側横方向突出部と、前記上側横方向突出部の下方において、前記基板部から前記上側横方向突出部と大略同方向に突出する下側横方向突出部と、前記上側横方向突出部に設けられたねじ穴と、軸部の先端側を前記下側横方向突出部に向けて、前記ねじ穴に螺合された雄ねじとを有してなり、
前記上側横方向突出部と前記下側横方向突出部との間に前記防水パンの前記横方向張り出し部および前記上縁立ち上がり部が挿入され、前記雄ねじの軸部の先端と前記下側横方向突出部との間に前記防水パンの前記横方向張り出し部が挟まれ、前記雄ねじの軸部の外周と前記基板部との間に前記防水パンの前記上縁立ち上がり部が挟まれている取付構造。
【請求項６】
前記雄ねじの軸部の外周が防水パンの上縁立ち上がり部の内面に接触されている請求項５記載の取付構造。
【請求項７】
ユニットルームの一部を構成する防水パンに取付具を介して被取付物を取り付けるユニットルームの防水パンに対する被取付物の取付方法において、
外周に周壁部を有し、この周壁部は該周壁部の主たる部分をなす上方に立ち上がる周壁部主部と、この周壁部主部の上端部またはその付近から外側横方向に張り出す横方向張り出し部と、この横方向張り出し部の先端部またはその付近から上方に立ち上がる上縁立ち上がり部とを有する前記防水パンを用意する段階と、
基板部と、この基板部から横方向に突出する上側横方向突出部と、前記上側横方向突出部の下方において、前記基板部から前記上側横方向突出部と大略同方向に突出する下側横方向突出部と、前記上側横方向突出部に設けられたねじ穴と、先端側を前記下側横方向突出部に向けて、前記ねじ穴に螺合される雄ねじとを有してなる前記取付具を用意する段階と、
前記雄ねじの軸部の先端を前記下側横方向突出部から大きく離すか、または前記雄ねじを前記ねじ穴に螺合していない状態で、前記防水パンの前記横方向張り出し部および前記上縁立ち上がり部を前記上側横方向突出部と前記下側横方向突出部との間に挿入し、前記防水パンの前記上縁立ち上がり部を前記ねじ穴より前記基板部側に位置させる段階と、
前記ねじ穴に螺合された前記雄ねじを締め付け、前記雄ねじの軸部の先端と前記下側横方向突出部との間に前記防水パンの前記横方向張り出し部が挟まれ、前記雄ねじの軸部の外周と前記基板部との間に前記防水パンの前記上縁立ち上がり部が挟まれるようにする段階と、
前記被取付物を前記取付具に取り付ける段階とを有してなる取付方法。
【発明の詳細な説明】
【技術分野】
【０００１】
本発明は、ユニットバス（システムバス）等のユニットルームにおいて、防水パンに壁パネル等の被取付物を取り付ける、ユニットルームの防水パンに対し被取付物を取り付ける取付具、取付構造および取付方法に関する。
【背景技術】
【０００２】
従来、ユニットバスの防水パンに取付具および支柱等を介して壁パネル等を取り付ける取付構造としては、例えば特許文献１等に開示されているように、防水パンの上縁部に取付具をねじ止めし、さらにこの取付具に壁パネルを取り付けるものがあった。
【０００３】
また、ユニットバスの防水パンに取付具および支柱等を介して壁パネル等を取り付ける従来の取付構造の他の形式のものとしては、特許文献２に提案されているように、一対の取付具を用い、これらの取付具で防水パン（洗い場床）の上縁部を挟み込むものがあった。
【先行技術文献】
【特許文献】
【０００４】
【特許文献１】特開平１０−１４０６３４号公報
【特許文献２】特開２００８−１２１３５２号公報
【発明の概要】
【発明が解決しようとする課題】
【０００５】
特許文献１等のように防水パンの上縁部に取付具をねじ止めする従来技術においては、防水パンに雄ねじがねじ込まれて、防水パンに孔が明き、防水パンの強度を低下させる虞があるという問題があった。さらに、雄ねじのねじ込み部に湯水が到達する可能性がある構造の場合には、防水パンの防水性を低下させるという問題があった。
【０００６】
また、特許文献２のように一対の取付具を用い、これらの取付具で防水パンの上縁部を挟み込むものは、防水パンに雄ねじをねじ込まないので、防水パンの強度や防水性を低下させることはないが、取付作業が面倒で作業に時間が掛かり、作業性が悪いという問題があった。
【０００７】
これをさらに詳しく説明すると、近年においては、ユニットバス等のユニットルームによって構成される室の有効床面積をなるべく大きくするため、防水パンの外方にはなるべくスペースを生じさせないようにする傾向にある。そして、このように防水パンの外方になるべくスペースを生じさせない場合、防水パンに壁パネル等の被取付物を取り付ける際、防水パンの外側から取り付け作業を行うことは困難になる。したがって、特許文献２のように一対の取付具で防水パンの上縁部を挟み込む場合、取付作業の作業性が悪いという問題が生じていたのである。
【０００８】
さらに、特許文献２のように一対の取付具を用いる場合は、取付具の製造コストが高くなるという問題もあった。
【０００９】
本発明は、このような従来の事情に鑑みてなされたもので、本発明の目的の一つは、防水パンに対する被取付物の取付作業を、防水パンに穴を明けることなく、内側からの作業のみで、容易かつ迅速に行うことができる、ユニットルームの防水パンに対し被取付物を取り付ける取付具、取付構造および取付方法を提供することにある。
【００１０】
本発明の他の目的は、取付具の製造コストを安価にすることができる、ユニットルームの防水パンに対し被取付物を取り付ける取付具、取付構造および取付方法を提供することにある。
【００１１】
本発明のさらに他の目的は、以下の説明から明らかになろう。
【課題を解決するための手段】
【００１２】
本発明によるユニットルームの防水パンに対する被取付物の取付具は、
ユニットルームの一部を構成する防水パンに被取付物を取り付けるユニットルームの防水パンに対する被取付物の取付具であって、前記防水パンは、外周に周壁部を有し、この周壁部は該周壁部の主たる部分をなす上方に立ち上がる周壁部主部と、この周壁部主部の上端部またはその付近から外側横方向に張り出す横方向張り出し部と、この横方向張り出し部の先端部またはその付近から上方に立ち上がる上縁立ち上がり部とを有している取付具において、
基板部と、
この基板部から横方向に突出する上側横方向突出部と、
前記上側横方向突出部の下方において、前記基板部から前記上側横方向突出部と大略同方向に突出する下側横方向突出部と、
前記上側横方向突出部に設けられたねじ穴と、
軸部の先端側を前記下側横方向突出部に向けて、前記ねじ穴に螺合される雄ねじとを有してなり、
前記上側横方向突出部と前記下側横方向突出部との間に前記防水パンの前記横方向張り出し部および前記上縁立ち上がり部が挿入され、前記雄ねじの軸部の先端と前記下側横方向突出部との間に前記防水パンの前記横方向張り出し部が挟まれ、前記雄ねじの軸部の外周と前記基板部との間に前記防水パンの前記上縁立ち上がり部が挟まれるようにすることにより、前記防水パンに取り付けられるようになっており、
前記被取付物を取り付けられることにより前記被取付物を前記防水パンに取り付けるものである。
【００１３】
また、本発明によるユニットルームの防水パンに対する被取付物の取付構造は、
ユニットルームの一部を構成する防水パンと、取付具と、この取付具を介して前記防水パンに取り付けられた被取付物とを有してなるユニットルームの防水パンに対する被取付物の取付構造において、
前記防水パンは、外周に周壁部を有し、この周壁部は該周壁部の主たる部分をなす上方に立ち上がる周壁部主部と、この周壁部主部の上端部またはその付近から外側横方向に張り出す横方向張り出し部と、この横方向張り出し部の先端部またはその付近から上方に立ち上がる上縁立ち上がり部とを有し、
前記取付具は、基板部と、この基板部から横方向に突出する上側横方向突出部と、前記上側横方向突出部の下方において、前記基板部から前記上側横方向突出部と大略同方向に突出する下側横方向突出部と、前記上側横方向突出部に設けられたねじ穴と、軸部の先端側を前記下側横方向突出部に向けて、前記ねじ穴に螺合された雄ねじとを有してなり、
前記上側横方向突出部と前記下側横方向突出部との間に前記防水パンの前記横方向張り出し部および前記上縁立ち上がり部が挿入され、前記雄ねじの軸部の先端と前記下側横方向突出部との間に前記防水パンの前記横方向張り出し部が挟まれ、前記雄ねじの軸部の外周と前記基板部との間に前記防水パンの前記上縁立ち上がり部が挟まれているものである。
【００１４】
さらに、本発明によるユニットルームの防水パンに対する被取付物の取付方法は、
ユニットルームの一部を構成する防水パンに取付具を介して被取付物を取り付けるユニットルームの防水パンに対する被取付物の取付方法において、
外周に周壁部を有し、この周壁部は該周壁部の主たる部分をなす上方に立ち上がる周壁部主部と、この周壁部主部の上端部またはその付近から外側横方向に張り出す横方向張り出し部と、この横方向張り出し部の先端部またはその付近から上方に立ち上がる上縁立ち上がり部とを有する前記防水パンを用意する段階と、
基板部と、この基板部から横方向に突出する上側横方向突出部と、前記上側横方向突出部の下方において、前記基板部から前記上側横方向突出部と大略同方向に突出する下側横方向突出部と、前記上側横方向突出部に設けられたねじ穴と、先端側を前記下側横方向突出部に向けて、前記ねじ穴に螺合される雄ねじとを有してなる前記取付具を用意する段階と、
前記雄ねじの軸部の先端を前記下側横方向突出部から大きく離すか、または前記雄ねじを前記ねじ穴から取り外した状態で、前記防水パンの前記横方向張り出し部および前記上縁立ち上がり部を前記上側横方向突出部と前記下側横方向突出部との間に挿入し、前記防水パンの前記上縁立ち上がり部を前記ねじ穴より前記基板部側に位置させる段階と、
前記ねじ穴に螺合された前記雄ねじを締め付け、前記雄ねじの軸部の先端と前記下側横方向突出部との間に前記防水パンの前記横方向張り出し部が挟まれ、前記雄ねじの軸部の外周と前記基板部との間に前記防水パンの前記上縁立ち上がり部が挟まれるようにする段階と、
前記被取付物を前記取付具に取り付ける段階とを有してなるものである。
【００１５】
本発明においては、防水パンに雄ねじをねじ込むことはないので、防水パンに穴を明けて防水パンの強度を低下させる虞がない。また、防水パンに対する取付具の取付箇所に湯水が到達する可能性がある構造の場合でも、防水パンの防水性を低下させることがない。
【００１６】
また、雄ねじの軸部の先端を下側横方向突出部から大きく離すか、または雄ねじをねじ穴に螺合していない状態で、防水パンの横方向張り出し部および上縁立ち上がり部を上側横方向突出部と下側横方向突出部との間に挿入し、防水パンの上縁立ち上がり部をねじ穴より基板部側に位置させた後、ねじ穴に螺合された雄ねじを締め付け、雄ねじの軸部の先端と下側横方向突出部との間に防水パンの横方向張り出し部が挟まれ、雄ねじの軸部と基板部との間に防水パンの上縁立ち上がり部が挟まれるようにするだけで、防水パンに取付具を取り付けることができるので、防水パンに対する被取付物の取付作業を、内側からの作業のみで、容易かつ迅速に行うことができる。
【００１７】
また、構成部品を少なくすることができるので、取付具の製造コストを安価にすることができる。
【発明の効果】
【００１８】
本発明のユニットルームの防水パンに対し被取付物を取り付ける取付具、取付構造および取付方法は、
（イ）防水パンに対する被取付物の取付作業を、防水パンに穴を明けることなく、内側からの作業のみで、容易かつ迅速に行うことができる、
（ロ）取付具の製造コストを安価にすることができる、
等の優れた効果を得られるものである。
【図面の簡単な説明】
【００１９】
【図１】本発明の一実施例における中間部用取付具を示す斜視図である。
【図２】前記中間部用取付具を示す正面図である。
【図３】前記中間部用取付具を示す左側面図である。
【図４】前記中間部用取付具を示す平面図である。
【図５】図２のＶ−Ｖ線における断面図である。
【図６】前記中間部用取付具を防水パンの上縁部の中間部に取り付ける過程を示す断面図である。
【図７】前記中間部用取付具を防水パンの上縁部の中間部に取り付けた状態を示す断面図である。
【図８】前記実施例におけるコーナー用取付具を示す斜視図である。
【図９】前記コーナー用取付具を示す正面図である。
【図１０】前記コーナー用取付具を示す左側面図である。
【図１１】前記コーナー用取付具を示す平面図である。
【図１２】図１１のＸＩＩ−ＸＩＩ線における断面図である。
【図１３】前記コーナー用取付具を防水パンの上縁部のコーナー部に取り付けた状態を示す平面図である。
【図１４】図１３のＸＩＶ−ＸＩＶ線における断面図である。
【図１５】前記中間部用取付具に支柱を取り付けた状態を示す平面図である（防水パンは図示を省略している）。
【図１６】前記中間部用取付具に中間部用支柱を取り付けた状態を示す斜視図である（防水パンは図示を省略している）。
【図１７】前記コーナー用取付具にコーナー用支柱を取り付けた状態を示す平面図である（防水パンは図示を省略している）。
【図１８】前記実施例におけるユニットルームの防水パンに対する被取付物の取付構造を防水パンの中間部において示す平面図である。
【図１９】図１８のＸＩＸ−ＸＩＸ線における断面図である。
【図２０】前記実施例におけるユニットルームの防水パンに対する被取付物の取付構造を防水パンのコーナー部において示す平面図である。
【発明を実施するための形態】
【００２０】
以下、本発明を図面に示す実施例に基づいて説明する。
【実施例】
【００２１】
図１〜２０は本発明の一実施例を示している。本実施例は、本発明をシステムバスの防水パン（特に本実施例では、洗い場部の床部を構成する洗い場パン）に対する壁パネルの取付方法、取付構造および取付具に適用した例である。
【００２２】
まず、図１４および１９により、本実施例における防水パン１を説明すると、防水パン１は、ＦＲＰからなり、該防水パン１の全外周を取り囲む周壁部２を有している。この周壁部２は、該周壁部２の主たる部分をなす上方に立ち上がる周壁部主部２ａと、この周壁部主部２ａの全周に渡って該周壁部主部２ａの上端部から外側横方向に張り出す横方向張り出し部２ｂと、この横方向張り出し部２ｂの全周に渡って該横方向張り出し部２ｂの先端部から上方に立ち上がる上縁立ち上がり部２ｃとを一体的に有している。
【００２３】
図１〜５は、本実施例における中間部用取付具３を示している（ただし、後述する雄ねじ１１は示されていない）。この中間部用取付具３は、防水パン１の上縁部のうちのコーナー部以外の中間部に取り付けられるものであり、メッキ鋼板、ステンレス鋼板等の１枚の金属板からプレス加工された基板部４、上側横方向突出部５、下側横方向突出部６および周壁部主部当接部７を一体的に有している。
【００２４】
前記基板部４は平板状で大略矩形状をなしている。前記上側横方向突出部５も大略矩形状をなしていて、基板部４の中央部を切り起こすことにより形成されており、基板部４から横方向に突出している。なお、この上側横方向突出部５は、基板部４に対しほぼ直角をなしているが、完全に直角ではなく、基板部４が鉛直方向とされたとき、基板部４から僅かに斜め上方に突出することとなる角度に屈曲されている。前記基板部４のうちの上側横方向突出部５が切り起こされることにより穴として後に残った切り起こし跡８より上方の部分にはタッピンねじ下穴９が設けられている。前記上側横方向突出部５にはバーリング加工されたねじ穴１０（雌ねじを設けられた穴）が設けられている。このねじ穴１０には雄ねじ１１がその軸部１１ａの先端側を下側横方向突出部６に向けて螺合される。
【００２５】
前記下側横方向突出部６は、前記金属板のうちの基板部４の下端に隣接する部分を該基板部４に対し直角に屈曲してなる。これにより、前記下側横方向突出部６は、上側横方向突出部５の下方において、基板部４から上側横方向突出部５と大略同方向に突出している。前記周壁部主部当接部７は、前記金属板のうちの下側横方向突出部６の先端に隣接する部分を該下側横方向突出部６に対し大略直角に屈曲してなり、基板部４と大略平行方向に延びている。より詳しく言うと、下側横方向突出部６と周壁部主部当接部７との間の角度は、防水パン１の周壁部主部２ａの傾きに対応させて９０度より僅かに大きい角度とされている。
【００２６】
次に、図６および７により、防水パン１に対するこの中間部用取付具３の取付方法を説明する。
【００２７】
まず、図６のように、ねじ穴１０に対し雄ねじ１１を浅く螺合した状態とすることにより、雄ねじ１１の軸部１１ａの先端を下側横方向突出部６から大きく離間させた状態で、横方向張り出し部２ｂおよび上縁立ち上がり部２ｃが上側横方向突出部５と下側横方向突出部６との間に挿入されるように作業者が中間部用取付具３を摘んで動かし、さらに図７のように上縁立ち上がり部２ｃがねじ穴１０より基板部４側に位置されるまで深く挿入されるようにする。
【００２８】
次に、雄ねじ１１を締め付け、雄ねじ１１の軸部１１ａの先端と下側横方向突出部６との間に横方向張り出し部２ｂが挟まれ、雄ねじ１１の軸部１１ａの外周と基板部４との間に上縁立ち上がり部２ｃが挟まれるようにする。これにより、中間部用取付具３が防水パン１に取り付けられる。
【００２９】
なお、この取付状態において、基板部４が防水パン１の上縁立ち上がり部２ｃの外面に接触するとともに、雄ねじ１１の軸部１１ａの外周が防水パン１の上縁立ち上がり部２ｃの内面に接触した状態となるようにすることが好ましい。それにより、防水パン１に対し中間部用取付具３、ひいては後述する被取付物（中間部用支柱１２および壁パネル１３）を横方向にガタを生じることなく、取り付けることができる。また、雄ねじ１１の軸部１１ａの外周が防水パン１の上縁立ち上がり部２ｃの内面に接触することにより、雄ねじ１１が緩み方向に回転してしまうのを防止できる。
【００３０】
なお、中間部用取付具３を防水パン１に取り付ける際、雄ねじ１１をねじ穴１０に螺合していない状態で、横方向張り出し部２ｂおよび上縁立ち上がり部２ｃを上側横方向突出部５と下側横方向突出部６との間に挿入し、しかる後にねじ穴１０に雄ねじ１１を螺合してもよいが、前述のようにあらかじめねじ穴１０に雄ねじ１１を螺合しておいた方が、さらに作業性がよくなる。
【００３１】
図８〜１２は、本実施例におけるコーナー用取付具１４を示している（ただし、雄ねじ１１は示されていない）。このコーナー用取付具１４は、防水パン１の上縁部のうちのコーナー部に取り付けられるものであり、中間部用取付具３の場合と同様にメッキ鋼板、ステンレス鋼板等の１枚の金属板から一体的にプレス加工されてなるが、基板部４、上側横方向突出部５、下側横方向突出部６および周壁部主部当接部７の組み合わせを２組有しており、各組の基板部４、上側横方向突出部５、下側横方向突出部６および周壁部主部当接部７は互いに直角をなす方向に設けられている。各組毎における基板部４、上側横方向突出部５、下側横方向突出部６および周壁部主部当接部７の位置関係は、中間部用取付具３の場合と同様である。また、中間部用取付具３の場合と同様に、各組の基板部４にはタッピンねじ下穴９が、上側横方向突出部５にはねじ穴１０がそれぞれ設けられている。
【００３２】
前記コーナー用取付具１４も、中間部用取付具３の場合と全く同様にして、図１３および１４のように防水パン１の上縁部のコーナー部に対し取り付けることができる。
【００３３】
なお、コーナー用取付具１４の場合も、上記取付状態において、基板部４が防水パン１の上縁立ち上がり部２ｃの外面に接触するとともに、雄ねじ１１の軸部１１ａの外周が防水パン１の上縁立ち上がり部２ｃの内面に接触した状態となるようにすることが好ましい。それにより、防水パン１に対しコーナー用取付具１４、ひいては後述する被取付物（コーナー用支柱１６および壁パネル１３）を横方向にガタを生じることなく、取り付けることができる。また、雄ねじ１１の軸部１１ａの外周が防水パン１の上縁立ち上がり部２ｃの内面に接触することにより、雄ねじ１１が緩み方向に回転してしまうのを防止できる。
【００３４】
中間部用取付具３には、図１５および１６に示されるように、中間部用支柱１２（ジョイナー、フレーム等と称されることもある）がタッピンねじ１５をタッピンねじ下穴９にねじ込むことにより取り付けられる。同様にして、コーナー用取付具１４には、図１７に示されるように、コーナー用支柱１６（ジョイナー、フレーム等と称されることもある）がタッピンねじ１５をタッピンねじ下穴９にねじ込むことにより取り付けられる。
【００３５】
次に、図１８〜２０に示されるように、中間部用支柱１２およびコーナー用支柱１６に壁パネル１３が取り付けられる（中間部用支柱１２、コーナー用支柱１６および壁パネル１３は、本実施例における被取付物である）。
【００３６】
このような取付具３，１４、取付構造および取付方法によれば、防水パン１に雄ねじ１１をねじ込むことはないので、防水パン１に穴を明けて防水パン１の強度を低下させる虞がない。
【００３７】
また、本実施例では、図１９に示されるように、取付具３，１４より内部側において、防水パン１と壁パネル１３との間にシール材１７が介在されているので、原則として取付具３，１４の取付箇所に湯水が到達する可能性はないが、万一シール材１７によるシールに不具合があっても、防水パン１の上縁部に雄ねじ１１がねじ込まれることがないので、雄ねじ１１のねじ込み部から防水パン１外部に湯水が漏出するようなことはない。
【００３８】
また、雄ねじ１１の軸部１１ａの先端を取付具の下側横方向突出部６から大きく離すか、または雄ねじ１１をねじ穴１０に螺合しない状態で、横方向張り出し部２ｂおよび上縁立ち上がり部２ｃが上側横方向突出部５と下側横方向突出部６との間に挿入されるようにし、さらに上縁立ち上がり部２ｃがねじ穴１０より基板部４側に位置されるようにした後、ねじ穴１０に螺合された雄ねじ１１を締め付け、雄ねじ１１の軸部１１ａの先端と取付具３，１４の下側横方向突出部６との間に前記横方向張り出し部２ｂが挟まれ、前記雄ねじ１１の軸部１１ａの外周と前記基板部４との間に前記上縁立ち上がり部２ｃが挟まれるようにするだけで、取り付け作業を行うことができるので、防水パン１に対する被取付物（中間部用支柱１２、コーナー用支柱１６および壁パネル１３）の取付作業を、内側からの作業のみで、容易かつ迅速に行うことができる。
【００３９】
また、構成部品を少なくすることができるので、取付具３，１４の製造コストを安価にすることができる。
【００４０】
なお、前記実施例は、本発明をユニットバスに適用した例であるが、本発明はシャワー室、トイレ、洗面室、サニタリールーム等の他の種のユニットルームにも適用できるものである。
【００４１】
また、前記実施例は、ユニットバスの洗い場部の防水パン１に対する被取付物の取り付けに関し本発明を適用した例であるが、勿論、本発明は他の部分や他の用途に使用される防水パンにも適用できるものである。
【００４２】
また、前記実施例における被取付物は、支柱および壁パネルであったが、本発明における被取付物はバスエプロン、ドア、給水管、配水管等の他の種の被取付物であってもよい。
【００４３】
また、前記実施例においては、防水パン１の横方向張り出し部２ｂは周壁部主部２ａの上端部から外側横方向に張り出しているが、横方向張り出し部は厳密な意味での周壁部主部２ａの上端部からではなく、上端部付近から外側横方向に張り出すようにしてもよい。また、前記実施例においては、防水パン１の上縁立ち上がり部２ｃは横方向張り出し部２ｂの先端部から上方に立ち上がっているが、厳密な意味での横方向張り出し部２ｂの先端部ではなく、先端部付近から上方に立ち上がるようにしてもよい。
【産業上の利用可能性】
【００４４】
以上のように本発明によるユニットルームの防水パンに対し被取付物を取り付ける取付具、取付構造および取付方法は、ユニットバス（システムバス）等のユニットルームにおいて、防水パンに壁パネル等の被取付物を取り付ける取付具、取付構造および取付方法として有用である。
【符号の説明】
【００４５】
１    防水パン
２    周壁部
２ａ  周壁部主部
２ｂ  横方向張り出し部
２ｃ  上縁立ち上がり部
３    中間部用取付具
４    基板部
５    上側横方向突出部
６    下側横方向突出部
７    周壁部主部当接部
９    タッピンねじ下穴
１０    ねじ穴
１１    雄ねじ
１１ａ  雄ねじの軸部
１２    中間部用支柱（被取付物）
１３    壁パネル（被取付物）
１４    コーナー用取付具
１６    コーナー用支柱（被取付物）
【図１】
2014152503.tif 000003
【図２】
2014152503.tif 000004
【図３】
2014152503.tif 000005
【図４】
2014152503.tif 000006
【図５】
2014152503.tif 000007
【図６】
2014152503.tif 000008
【図７】
2014152503.tif 000009
【図８】
2014152503.tif 000010
【図９】
2014152503.tif 000011
【図１０】
2014152503.tif 000012
【図１１】
2014152503.tif 000013
【図１２】
2014152503.tif 000014
【図１３】
2014152503.tif 000015
【図１４】
2014152503.tif 000016
【図１５】
2014152503.tif 000017
【図１６】
2014152503.tif 000018
【図１７】
2014152503.tif 000019
【図１８】
2014152503.tif 000020
【図１９】
2014152503.tif 000021
【図２０】
2014152503.tif 000022